(57)【特許請求の範囲】
【請求項１】
トラクタの機体後部に薬剤注入機を昇降自在に連結し、該薬剤注入機の後方に鎮圧ローラを有するマルチフィルム敷設機を設けた全面マルチ式土壌消毒機であって、トラクタと薬剤注入機との間にトラクタの車輪跡消し用のカルチ爪を配設し、該カルチ爪にて土壌表面の車輪跡を膨軟化した後に薬剤を注入するとともに、消毒後の土壌表面を鎮圧ローラにて鎮圧しながらマルチフィルムを敷設するように構成した全面マルチ式土壌消毒機において、
上記カルチ爪と鎮圧ローラとの間にその後部にツースを装着した整地板を設けてなり、該整地板は進行方向に対して中央部が前方へ突出して上面視山形に形成されるとともに、左右２分割して前記中央部をピンにて枢着し、更に、該ピンにて枢着した部分にスプリングを介装したことを特徴とする全面マルチ式土壌消毒機。
【発明の詳細な説明】
【０００１】
【発明の属する技術分野】
本発明はトラクタの機体後部に連結される土壌消毒機に関するものであり、特に、薬剤注入機とマルチフィルム敷設機とを設けた全面マルチ式土壌消毒機に関するものである。
【０００２】
【従来の技術】
圃場へ薬剤を注入しながらマルチフィルムを敷設する機械としては、本願出願人が特願平７−１８５７７２号として先に出願している。これは、トラクタの機体後部にロータリ作業機を連結し、該ロータリ作業機の耕耘爪とリヤカバーとの間に薬剤注入機を設け、更に、その後方にマルチフィルムの繰出部を配設したマルチフィルム敷設機であって、前記耕耘爪とマルチフィルムの繰出部との間に、前記耕耘爪の全幅に亘って鎮圧ローラを設けたものである。
【０００３】
このマルチフィルム敷設機は、トラクタの進行に伴ってロータリ作業機により圃場を耕耘しながら薬剤を注入し、消毒後の土壌表面を鎮圧ローラにて鎮圧してマルチフィルムを敷設していく。
【０００４】
【発明が解決しようとする課題】
前述した特願平７−１８５７７２号のマルチフィルム敷設機は、ロータリ作業機により耕耘しながら薬剤注入とマルチフィルム敷設とを行っているが、ロータリ作業機を設けているために前後寸法が長くなり、旋回性能が落ちるという不具合がある。また、ユーザーによってはロータリ作業を必要としない場合もあり、コスト面でも問題があった。
【０００５】
ロータリ作業機を除外した構成にすれば全長が短くなるが、トラクタの車輪跡が残ったままマルチフィルムを敷設することになる。このため、マルチフィルム敷設作業中に車輪跡部分が凹み、この凹み部に作用する風の影響でマルチフィルムが煽られて弛み易くなる。
【０００６】
また、マルチフィルムの一側縁部同士を重ね合わせて敷設した直後は表面の張力が強く作用している場合であっても、前記凹み部分には空気が溜まっているため、風によってばたつきが生じ、マルチフィルムの端部を押さえている内部の土が剥離して、複数枚のマルチフィルムが同時に浮き上がるなど、何れの場合もマルチフィルム敷設の耐久性が劣化する要因となっている。
【０００７】
そこで、圃場へ薬剤を注入しながらマルチフィルムを敷設する際に、トラクタの車輪跡を消してマルチフィルムを土壌表面へ密着させ、マルチフィルムが剥離しないように敷設するために解決すべき技術的課題が生じてくるのであり、本発明はこの課題を解決することを目的とする。
【０００８】
【課題を解決するための手段】
本発明は上記目的を達成するために提供されたものであり、トラクタの機体後部に薬剤注入機を昇降自在に連結し、該薬剤注入機の後方に鎮圧ローラを有するマルチフィルム敷設機を設けた全面マルチ式土壌消毒機であって、トラクタと薬剤注入機との間にトラクタの車輪跡消し用のカルチ爪を配設し、該カルチ爪にて土壌表面の車輪跡を膨軟化した後に薬剤を注入するとともに、消毒後の土壌表面を鎮圧ローラにて鎮圧しながらマルチフィルムを敷設するように構成した全面マルチ式土壌消毒機において、
上記カルチ爪と鎮圧ローラとの間にその後部にツースを装着した整地板を設けてなり、該整地板は進行方向に対して中央部が前方へ突出して上面視山形に形成されるとともに、左右２分割して前記中央部をピンにて枢着し、更に、該ピンにて枢着した部分にスプリングを介装した全面マルチ式土壌消毒機を提供するものである。
【０００９】
【発明の実施の形態】
以下、本発明の実施の形態を図面に従って詳述する。図１及び図２はトラクタの機体後部に連結される全面マルチ式土壌消毒機１０を示し、昇降自在に設けられた薬剤注入機１１の後方に、マルチフィルム敷設機１２が設けられている。
【００１０】
前記薬剤注入機１１はトラクタの機体幅より全幅が大に形成され、左右方向へ固設したツールバー１３に略等間隔で複数本の注入刀１４を上下調節可能に取り付け、夫々の注入刀１４にノズル１５を装着し、タンク１６に充填した薬剤を電動ポンプ１７で汲み上げて前記ノズル１５から土壌へ噴射するように形成されている。
【００１１】
また、前記マルチフィルム敷設機１２には薬剤注入機１１の全幅に亘って鎮圧ローラ１８が配設され、その後部にマルチフィルム１９のロール１９ａを装着するとともに、繰り出しセンサ兼用の押さえローラ２０を前記マルチフィルムのロール１９ａへ軽く圧接させる。
【００１２】
更に、左右後方へアーム２１，２１を突設し、夫々のアーム２１にフィルム貼り用のスポンジ輪２２と鎮圧輪２３を設け、前記ロール１９ａから繰り出されたマルチフィルム１９の左右両端をこのスポンジ輪２２と鎮圧輪２３とで押さえるようにしている。
【００１３】
また、夫々のアーム２１に覆土ディスク２４とスポンジ輪２５とを設け、マルチフィルム１９の側縁部の処理方法により覆土ディスク２４とスポンジ輪２５とを選択してセットする。即ち、前記鎮圧ローラ１８の前方に設けた排土ディスク２６により土壌表面を作溝し、繰り出されたマルチフィルム１９の側縁部をこの作溝部分へ凹状に敷設し、覆土ディスク２４にて土をかけた後に鎮圧輪２３で鎮圧すれば、該マルチフィルム１９の端部は覆土された土によって固定される。
【００１４】
一方、既に圃場へマルチフィルム１９を敷設後に新たなマルチフィルム１９を隣接して敷設するときは、双方のマルチフィルム１９，１９の側縁部同士を重ね合わせるが、このとき、前記アーム２１の側部に装着されているロール２７ａから接着テープ２７を引き出して、重ね合わせたマルチフィルム１９，１９の側縁部同士を前記スポンジ輪２５で押圧しながら接着する。
【００１５】
ここで、トラクタと薬剤注入機１１との間、即ち前記注入刀１４の前方には左右一組のカルチ爪２８，２８を配設する。夫々のカルチ爪２８はトラクタの車輪（図示せず）の後方位置に設けられており、土壌表面の車輪跡２９をこのカルチ爪２８により膨軟化して凹みを消すようにしている。
【００１６】
而して、トラクタにて当該全面マルチ式土壌消毒機１０を牽引しながら圃場を走行すれば、先ず、前記カルチ爪２８によって土壌表面の車輪跡２９が膨軟化された後に、薬剤注入機１１の注入刀１４に装着したノズル１５から薬剤を土壌へ噴射する。続いて、前記鎮圧ローラ１８にて土壌を鎮圧しながら、ロール１９ａからマルチフィルム１９が繰り出されて土壌表面へ敷設されていく。
【００１７】
しかるとき、前記カルチ爪２８により車輪跡２９が消されるので、鎮圧ローラ１８の鎮圧作用とも相俟って土壌表面の凹凸がなくなり、マルチフィルム１９が土壌表面に密着してマルチフィルム１９の下面に空気が溜まることはない。依って、風によるマルチフィルム１９のばたつきをなくし、マルチフィルム１９の剥離を防止できる。
【００１８】
また、図３は前記カルチ爪２８と注入刀１４との間に回転式のディスクコールタ３０を装着した構成を示し、ツールバー１３を支承している左右のアーム３１にステー３２を固設し、各注入刀１４の前部位置にディスクコールター３０を枢着する。斯かる場合は、該ディスクコールタ３０によって圃場の草やわらなどが切断され、注入刀１４に草などが絡みつくのを防止してマルチフィルム１９が土壌表面に密着して敷設される。
【００１９】
一方、図４に示すように、前記鎮圧ローラ１８は前後位置が調整自在であり、注入刀１４と鎮圧ローラ１８を離反させ、前記カルチ爪２８と鎮圧ローラ１８との間に整地板３３を設けることもできる。該整地板３３は前記アーム３１に固設したステー３４によりツールバー１３の下方へ垂下されており、図４及び図５に示すように、該整地板３３の左右方向に複数のスリット３５を開穿し、夫々のスリット３５へ前記注入刀１４を挿通してある。また、整地板３３の後部に複数本のツース３６を装着し、ツース３６の後端部と鎮圧ローラ１８の前端部とをラップさせる。
【００２０】
従って、前記カルチ爪２８により車輪跡２９を膨軟化された土壌表面は、整地板３３により整地される。そして、注入刀１４及びツース３６により引きずられていく挟雑物は、薬剤注入機１１の全幅に亘って設けられている鎮圧ローラ１８により踏みつけられて除去されるので、土壌表面の仕上がりが綺麗になる。
【００２１】
尚、図示は省略するが、前記注入刀１４をツース３６，３６間に配設してもよい。しかるときは、整地板３３にスリット３５を開穿する必要がなくなるので、整地板が均一な面となってスリットからの土もれがなくなり、良好な整地を行うことができる。そして、注入刀１４が鎮圧ローラ１８に接近するので、挟雑物を排除易くなる。
【００２２】
ここで、前記整地板３３は進行方向に対してその中央部が前方へ突出しており、上面視山形に形成してあるので、該整地板３３により土壌が左右外側へ押し出されて車輪跡２９を確実に消去できる。
【００２３】
また、図６に示すように、前記整地板３３を左右２分割して中央部をピン３７にて枢着し、該ピン３７を軸に山形の角度を変更可能に形成すれば、土壌の湿度や砕土状態などの諸条件に合わせて前記整地板３３の角度を調整することにより、最適な整地作業を行うことができる。
【００２４】
尚、図示は省略するが、左右に２分割した前記整地板３３の枢着部分にスプリングを介装しておくことにより、整地板３３にかかる負荷の大きさによって山形の角度の変化が自動的に規制されて、作業の容易化を図ることができる。
【００２５】
尚、本発明は、本発明の精神を逸脱しない限り種々の改変を為すことができ、そして、本発明が該改変されたものに及ぶことは当然である。
【００２６】
【発明の効果】
以上説明したように、本発明ではトラクタと薬剤注入機との間にカルチ爪を配設してあるので、このカルチ爪によってトラクタの車輪跡を消すことができる。依って、薬剤を注入した土壌表面に凹凸ができず、マルチフィルムを土壌表面へ密着して敷設することができ、風によるばたつきがなくなってマルチフィルムの剥離を防止できる。
【００２７】
また、従来のように、薬剤注入機の前方にロータリ作業機を設ける必要がなく、土壌消毒機の前後寸法が短くなって旋回性能が向上するとともに、コストダウンにも寄与できるとともに、カルチ爪により車輪跡を膨軟化された土壌表面は、整地板により整地され、そして薬液注入機とツースにより引きずられていく挟雑物は、鎮圧ローラにより踏みつけられて除去されるので、土壌表面の仕上がりが綺麗になる。
更に、整地板は進行方向に対してその中央部が前方へ突出しており、上面視山形に形成してあるので、該整地板により土壌が左右外側へ押し出されて車輪跡を確実に消去できる。
加えて、整地板は左右２分割して中央部をピンにて枢着し、該ピンにて枢着した部分にスプリングを介装したので、前記整地板にかかる負荷の大きさによって山形の角度の変化が自動的に規制され、作業の容易化が図れるという実践的な有用性を発揮するなど正に諸種の効果を奏する発明である。
【図面の簡単な説明】
【図１】  本発明の一実施の形態を示し、前面マルチ式土壌消毒機の側面図。
【図２】  全面マルチ式土壌消毒機の平面図。
【図３】  ディスクコールタを装着した全面マルチ式土壌消毒機の側面図。
【図４】  整地板を装着した全面マルチ式土壌消毒機の側面図。
【図５】  整地板を示した図４のＡ−Ａ線矢視図。
【図６】  整地板の他の形態を示した平面図。
【符号の説明】
１０      全面マルチ式土壌消毒機
１１      薬剤注入機
１２      マルチフィルムを敷設機
１４      注入刀
１５      ノズル
１８      鎮圧ローラ
１９      マルチフィルム
２８      カルチ爪
２９      車輪跡
３３ 整地板
３６ ツース
３７ ピン
【図１】
0003653840.tif 000002
【図２】
0003653840.tif 000003
【図３】
0003653840.tif 000004
【図４】
0003653840.tif 000005
【図５】
0003653840.tif 000006
【図６】
0003653840.tif 000007